(57)【要約】【課題】  本発明は、紙紋様の取得を簡便に行うことができる入力装置、マウス及びマウスパッドを実現できる。【解決手段】  本発明は、かかる課題を解決するため本発明の入力装置においては、マウスとマウスパッドからなる入力装置であって、出力光を発する発光手段と、当該マウスパッドと当該マウスの間に敷設された紙を透過して得られる透過光を受光する受光手段と、当該透過光を光電変換する光電変換手段と、当該透過光から生成された紋様を表す紋様情報を照合対象の一方として照合する照合装置に出力する出力手段とを設けるようにした。【選択図】        図６
2006338549.tif 000002
【特許請求の範囲】
【請求項１】
マウスとマウスパッドからなる入力装置であって、
出力光を発する発光手段と、
上記マウスパッドと上記マウスの間に敷設された紙を透過して得られる透過光を受光する受光手段と
上記透過光を光電変換する光電変換手段と、
上記透過光から生成された紋様を表す紋様情報を照合対象の一方として照合する照合装置に出力する出力手段と
を具えることを特徴とする入力装置。
【請求項２】
上記マウスは、
位置検出光を発光する位置検出光発光手段と、
上記位置検出光を受光する位置検出光受光手段と、
上記受光した位置検出光に基づいて位置情報を検出する位置情報検出手段と
を具え、
上記発光手段と、上記位置検出光発光手段とは同一のものである
ことを特徴とする請求項１に記載の入力装置。
【請求項３】
上記受光手段と、上記位置検出光受光手段とは同一のものである
ことを特徴とする請求項２に記載の入力装置。
【請求項４】
上記透過光から予め上記紙に記憶された紋様に基づく記憶紋様画像情報と、上記紙の紋様に基づく紙紋様画像情報とを抽出する画像情報抽出手段
を具えることを特徴とする請求項１に記載の入力装置。
【請求項５】
発光手段によって発光され、マウスパッドとマウスの間に敷設された紙を透過した透過光を受光する受光手段と、
上記受光した透過光を光電変換する光電変換手段と、
上記受光した透過光から生成された紋様を表す紋様情報を照合対象の一方として照合装置に出力する出力手段と
を具えることを特徴とするマウス。
【請求項６】
出力光を発光する発光手段
を具え、
上記出力光は、パッドとマウスの間に敷設された紙を透過して紙の紋様を表す透過光として受光手段に受光され、上記透過光に基づいて生成された紋様を表す紋様情報が照合対象の一方として照合装置に出力される
ことを特徴とするマウス。
【請求項７】
発光手段によって発光され、マウスパッドとマウスの間に敷設された紙を透過した透過光を受光する受光手段と、
上記受光した透過光を光電変換する光電変換手段と、
上記受光した透過光から生成された紋様を表す紋様情報を照合装置に出力する出力手段と
を具えることを特徴とするマウスパッド。
【請求項８】
出力光を発光する発光手段
を具え、
上記出力光は、パッドとマウスの間に敷設された紙を透過して紙の紋様を表す透過光として受光手段に受光され、上記透過光に基づいて生成された紋様を表す紋様情報が照合対象の一方として照合装置に出力される
ことを特徴とするマウスパッド。
【発明の詳細な説明】
【技術分野】
【０００１】
本発明は、入力装置、マウス及びマウスパッドに関し、例えば紙紋様を取得できるマウスに適用して好適なものである。
【背景技術】
【０００２】
従来、紙は印画対象として用いられ、各種情報記録等の媒体として機能するため当該印画された内容（以下、これを印画内容と呼ぶ）は、個人の著作物等の高い価値を有していることが多い。
【０００３】
このため、印画紙に印画された印画内容をスキャナによって読み取ることによって様々な形で当該印画内容の利用が行われている。ここで、反射光を利用したスキャナ機能を付加することによって当該印画内容を取得できるマウスが提案されている（例えば特許文献１参照）。
【０００４】
一方で、印画紙は例えば貨幣等の商品交換媒体や、証明書等の内容証明媒体等の高い価値を有する媒体として多く使用されるため、印画内容の不正複製を防止する必要がある。この印画内容の不正複製に対する対処策の一つとして、繊維の絡み合いによって形成される印画紙が有する固有の模様（以下、これを紋様と呼ぶ）を透過光によって読み取り、当該紋様を利用して印画紙が原本か否かを判別する原本性保証手法が本願人によって提案されている。
【特許文献１】特開２００５−７８５１５公報
【発明の開示】
【発明が解決しようとする課題】
【０００５】
ところで、かかる原本性保証手法に上述したマウスを適用することができれば、ユーザはデスクに座った状態で当該原本性保証手法を利用することができるため簡便になるとも考えられる。しかしながら、このマウスは反射光を利用して印画内容を読み取るため、印画紙の紋様を読み取ることができず、当該原本性保証手法に適用することができないという問題があった。
【０００６】
本発明は以上の点を考慮してなされたもので、紙紋様の取得を簡便に行うことができる入力装置、マウス及びマウスパッドを提案しようとするものである。
【課題を解決するための手段】
【０００７】
かかる課題を解決するため本発明の入力装置においては、マウスとマウスパッドからなる入力装置であって、出力光を発する発光手段と、当該マウスパッドと当該マウスの間に敷設された紙を透過して得られる透過光を受光する受光手段と当該透過光を光電変換する光電変換手段と、当該透過光から生成された紋様を表す紋様情報を照合対象の一方として照合する照合装置に出力する出力手段とを設けるようにした。
【０００８】
これにより、入力装置による透過光を利用した紙紋様の取得が可能となるため、紙紋様の取得を簡便に行うことができる。
【０００９】
また本発明のマウスにおいては、発光手段によって発光され、マウスパッドとマウスの間に敷設された紙を透過した紋様投影光を受光する受光手段と、当該受光した透過光を光電変換する光電変換手段と、当該受光した透過光から生成された紋様を表す紋様情報を照合対象の一方として照合装置に出力する出力手段とを設けるようにした。
【００１０】
これにより、マウスによって透過光を受光することによる紙紋様の取得が可能となるため、紙紋様の取得を簡便に行うことができる。
【００１１】
さらに本発明のマウスにおいては、出力光を発光する発光手段を設け、当該出力光は、パッドとマウスの間に敷設された紙を透過して紙の紋様を表す透過光として受光手段に受光され、当該透過光に基づいて生成された紋様を表す紋様情報が照合対象の一方として照合装置に出力されるようにした。
【００１２】
これにより、マウスによって透過光を発光することによる紙紋様の取得が可能となるため、紙紋様の取得を簡便に行うことができる。
【００１３】
さらに本発明のマウスパッドにおいては、発光手段によって発光され、マウスパッドとマウスの間に敷設された紙を透過した紋様投影光を受光する受光手段と、当該受光した透過光を光電変換する光電変換手段と、当該受光した透過光から生成された紋様を表す紋様情報を照合装置に出力する出力手段とを設けるようにした。
【００１４】
これにより、マウスパッドによって透過光を受光することによる紙紋様の取得が可能となるため、紙紋様の取得を簡便に行うことができる。
【００１５】
さらに本発明のマウスパッドにおいては、出力光を発光する発光手段を設け、当該出力光は、パッドとマウスの間に敷設された紙を透過して紙の紋様を表す透過光として受光手段に受光され、当該透過光に基づいて生成された紋様を表す紋様情報が照合対象の一方として照合装置に出力されるようにした。
【００１６】
これにより、マウスパッドによって透過光を発光することによる透過光を利用した紙紋様の取得が可能となるため、紙紋様の取得を簡便に行うことができる。
【発明の効果】
【００１７】
本発明によれば、透過光を利用して紙紋様の取得が可能となるため、紙紋様の取得を簡便に行うことができる入力装置、マウス及びマウスパッドを実現できる。
【発明を実施するための最良の形態】
【００１８】
以下、図面について、本発明の一実施の形態を詳述する。
【００１９】
（１）原本性保証手法（原理）
図１に示すように、紙は、繊維の複雑な絡み合いにより構成された固有の模様（以下、これを紋様と呼ぶ）を表面ではなく内部に有しており、この紋様は、光にかざすと視認できることからも分かるように、例えば透過型スキャナ等により画像（以下、これを紋様画像と呼ぶ）として得ることができる。
【００２０】
そこで、原本性保証手法においては、この紋様画像が有する紋様のパターン（以下、これを紋様パターンと呼ぶ）を抽出し、当該紋様パターンを用いて印画紙の原本性の有無を判別する。
【００２１】
例えば図２に示すように、オリジナルの印画紙（以下、これをオリジナル印画紙と呼ぶ）ＯＰの紋様画像のうち、予め指定された領域（以下、これを指定領域と呼ぶ）ＡＲにおける紋様パターンがオリジナル印画紙ＯＰの認証情報として抽出される。
【００２２】
そしてかかる紋様パターン（以下、これを認証用紋様パターンと呼ぶ）は２次元バーコード（以下、これを認証用紋様コードと呼ぶ）ＢＣとしてオリジナル印画紙ＯＰにおける印画紙面の一部に印画され、かくして認証用紋様パターンはオリジナル印画紙ＯＰに記憶される。
【００２３】
一方、図３に示すように、この認証用紋様コードＢＣが印画された印画紙（以下、これをコード付印画紙と呼ぶ）ＸＰｃが例えばコピー機などの複製装置によって複製されたコピー印画紙ＣＰである場合、認証用紋様コードＢＣは複製されるが、印画紙に固有の紋様パターンである認証用紋様パターンは複製され得ない。
【００２４】
このため、図４に示すように、コード付印画紙ＸＰｃの指定領域ＡＲにおける紋様画像から抽出された紋様パターン（以下、これを比較用紋様パターンと呼ぶ）と認証用紋様コードＢＣに基づく認証用紋様パターンとを照合することによってコード付印画紙ＸＰｃの正当性（オリジナル印画紙ＯＰの有無）を検証することができる。
【００２５】
このように原本性保証手法によって、印画紙がオリジナル印画紙ＯＰであるかコピー印画紙ＣＰであるかを検証できるため、即座に上述した商品交換媒体や内容証明媒体等の高付加価値媒体として使用される当該印画紙の不正複製や偽造を発見することが可能となる。
【００２６】
本実施の形態における原本性保証装置では、マウス及びマウスパッドによってコード付印画紙ＸＰｃから認証用紋様パターンと比較用紋様パターンとを抽出し、これらを照合することによって当該コード付印画紙ＸＰｃ（図３）の正当性を検証するようになされている。
【００２７】
（２）原本性保証装置の全体構成
次に、かかる原本性保証装置について説明する。図５において、１は全体として原本性保証装置を示し、パーソナルコンピュータ（以下、これをＰＣと呼ぶ）２にマウス３及びマウスパッド４とがＵＳＢ方式によって接続されることにより構成される。
【００２８】
図６に示すように、ＰＣ２は、ＣＰＵ（Central  Processing  Unit）構成の制御部２０を有し、この制御部２０に対してマウスインターフェース２１とマウスパッドインターフェース２２とＬＣＤ（Liquid  Crystal  Display）等からなる表示部２３が接続されることによって構成される。
【００２９】
ＰＣ２の制御部２０は、マウスインターフェース２１を介して動作命令を受けると、マウスインターフェース２１とマウスパッドインターフェース２２及びその他の各種ブロックを制御し、当該動作命令に応じた各種処理を実行するとともに、当該処理内容を表示部２３に表示する。
【００３０】
マウス３は、トラックボール部３４Ａ及びクリックボタン部３４Ｂからなる操作部３４と、外部インターフェース３５とによって構成される。例えばトラックボール部３４Ａは、ユーザの操作に応じたマウス３の移動距離に基づく位置情報を生成し、外部インターフェース３５を介してＰＣ２に送出する。またクリックボタン部３４Ｂは、ユーザのクリック操作に応じて動作命令を生成し、外部インターフェース３５を介してＰＣ２に送出するようになされている。
【００３１】
（３）原本保証手法
かかる構成に加えて本発明の原本性保証装置１では、マウス３とマウスパッド４を用いて紙の紋様を取得し、取得した紋様に基づくパターンに基づいて、原本保証手法を実行するようになされている。
【００３２】
（３−１）印画紙のセッティング
実際上、原本性保証装置による原本性保証処理を行う場合に、ユーザはマウスパッド４上にコード付印画紙ＸＰｃ、マウス３の順で載置する。このとき図７（Ａ）に示すように、マウスパッド４上には直角三角形状でなる印画紙位置マークＰＭと、マウス位置マークＭＭとが示されている。
【００３３】
図７（Ｂ）に示すように、ユーザは、印画紙位置マークＰＭの直角部分の頂点とコード付印画紙ＸＰｃの右下端とを合わせてコード付印画紙ＸＰｃをマウスパッド４上にセットする。さらにユーザは、図７（Ｃ）に示すように、マウス位置マークＭＭに合わせてマウス３をセットする。この結果、図６に示したように、マウスパッド４の発光部４２と、コード付印画紙ＸＰｃの指定領域ＡＲ及び認証用紋様コードＢＣと、マウスの受光部３３とが発光部４２から発光される出力光の光路上に重なるようになされている。
【００３４】
これによりコード付印画紙ＸＰｃの指定領域ＡＲ及び認証用紋様コードＢＣが発光部４２と受光部３３との間に敷設されるため、従来のハンドスキャンのようにユーザが紙又はマウスを動かす必要がない。このため原本性保証装置１では、ユーザによってコード付印画紙ＸＰｃやマウス３、マウスパッド４を動かす必要がないため、ハンドスキャンのような手動による不均一な移動動作によって生じる手ぶれ等が生じることなく安定した動作が可能となる。
【００３５】
（３−２）原本性保証処理の開始処理
実際上、図６に示したようにＰＣ２の制御部２０は、原本性保証処理を行う旨の指令ＣＰがマウスインターフェース２１を介してマウス３から与えられると、発光コマンドＣＬを生成し、マウスパッドインターフェース２２を介してマウスパッド４へ送出する。さらに制御部２０は、受光コマンドＣＲを生成し、マウスインターフェース２１を介してマウス３へ送出する。
【００３６】
（３−３）発光処理
マウスパッド４の発光部４２は、外部インターフェース４１を介してかかる発光コマンドＣＬを受取った場合、出力光を発光する。
【００３７】
（３−４）受光処理
マウス３の受光部３３は、外部インターフェース３５を介してかかる受光コマンドＣＲを受取った場合、受光処理を行うようになされている。ここで、発光部４２から発光された出力光は、コード付印画紙ＸＰｃを透過するとマウス３の底面によって反射され、コード付印画紙ＸＰｃによって再度反射される。このため受光部３３は、コード付印画紙ＸＰｃの指定領域ＡＲを透過した紋様投影光と、認証用紋様コードＢＣを反射した紋様バーコード投影光とから構成される紙透過反射光を受光し、光学系を介して固体撮像素子に結像する。
【００３８】
そして受光部３３は、この固体撮像素子から得られる画像信号に対してＡ／Ｄ（Analog/Digital）変換処理などを施し、この結果得られた画像データ（以下、これを受光画像データと呼ぶ）Ｄ１を信号処理部３０へ送出する。
【００３９】
このためマウス３は、紙透過反射光を受光することによって、紋様投影光から得られた指定領域ＡＲの紋様についての画像データ（以下、これを領域紋様画像と呼ぶ）ＩＭ１と、紋様バーコード投影光から得られた認証用紋様コードＢＣについての画像データ（以下、これを紋様コード画像と呼ぶ）ＢＭ１とから構成される受光画像データＤ１を生成することができ、２回発光処理と受光処理とを行って２つの画像データをそれぞれ取得する場合と比較して、画像データの取得に要する時間を大幅に短縮できる。
【００４０】
このようにして原本性保証装置１は、マウスパッド４によって出力光を発光し、マウス３によって紙透過反射光を受光することにより、マウス３とマウスパッド４とによって紙紋様を取得できるため、簡便に紙紋様を画像データとして取得し得るようになされている。
【００４１】
（３−５）信号処理
次いで原本性保証処理装置１は、マウス３によって取得した紙紋様から紋様の特徴量を表す紋様パターンを抽出する。
【００４２】
実際上、マウス３の信号処理部３０は、画像データ抽出部３０Ａと紋様パターン生成部３０Ｂ及び二次元コードリーダ３０Ｃとで構成されており、受光部３３から供給される受光画像データＤ１を、画像データ抽出部３０Ａに入力する。
【００４３】
画像データ抽出部３０Ａは、かかる受光画像データＤ１が入力されると、当該受光画像データＤ１から領域紋様画像ＩＭ１を抽出し、紋様パターン生成部３０Ｂへ送出する。同様に画像データ抽出部３０Ａは、当該受光画像データＤ１から紋様コード画像ＢＭ１を抽出して二次元コードリーダ３０Ｃへ送出する。
【００４４】
紋様パターン生成部３０Ｂは、かかる領域紋様画像ＩＭ１が入力されると、当該領域紋様画像ＩＭ１から比較用紋様パターンＩＭを生成する。具体的には、例えば図８に示すように、紋様パターン生成部３０Ｂは、初めに領域紋様画像ＩＭ１（図８（Ａ））から低域成分紋様画像ＩＭ２（図８（Ｂ））を抽出することによって各種ノイズ成分を除去する。
【００４５】
図９に示すように、紋様パターン生成部３０Ｂは、かかる低域成分紋様画像ＩＭ２（図９（Ａ））の輝度値を画素ごとに順次検出し、高輝度閾値以上となる輝度値を有する白成分紋様画像ＷＩＭ（図９（Ｂ））と、低輝度閾値以下となる輝度値を有する黒成分紋様画像ＢＩＭ（図９（Ｃ））とに分離して、紋様パターンの複雑さを低減する。そして紋様パターン生成部３０Ｂは、低域成分紋様画像ＩＭ２（図９（Ａ））に対する白成分紋様画像ＷＩＭ（図９（Ｂ））及び黒成分紋様画像ＢＩＭ（図９（Ｃ））の面積比がそれぞれ例えば２０％となるように高輝度閾値と低輝度閾値とを調整して、経年などによる色調変化の因子を除去する。
【００４６】
紋様パターン生成部３０Ｂは、図９に示したように、白成分紋様画像ＷＩＭ（図９（Ｂ））が有する紋様を、隣接する白画素の集合を単位とする領域（以下、これを白ダマと呼ぶ）に区割りするとともに、黒成分紋様画像ＢＩＭ（図９（Ｃ））が有する紋様を、隣接する黒画素の集合を単位とする領域（以下、これを黒ダマと呼ぶ）に区割りして細分化する。そして紋様パターン生成部３０Ｂは、例えば白成分紋様画像ＷＩＭ（図１０（Ａ））から所定の連結数以下となるダマを除去する（図１０（Ｂ））と、同様に黒成分紋様画像ＢＩＭから所定の連結数以下となるダマを除去して、冗長なデータを削減する。
【００４７】
紋様パターン生成部３０Ｂは、例えば図１１に示すように、各ダマの形状の特徴量（以下、これを紋様特徴量と呼ぶ）を矩形や楕円、真円等の各種形状に近似させて算出することによって、複雑なダマの形状を簡素化して算出し得るようになされている。ここでは紋様パターン生成部３０Ｂは、各ダマにおける形状を矩形に近似させ、中心座標（Ｘａ、Ｙａ）、長辺ｌ、短辺ｗ及び長辺ｌと軸とのなす角度θ（以下、これを矩形情報値と呼ぶ）を特徴量として算出する。
【００４８】
紋様パターン生成部３０Ｂは、各ダマの紋様特徴量に基づいて領域紋様画像ＩＭ１における紋様特徴量を表す比較用紋様パターンＩＭを生成し、外部インターフェース３５（図６）を介して当該比較用紋様パターンＩＭをＰＣ２へ送出する。
【００４９】
一方で二次元コードリーダ３０Ｃは、かかる紋様コード画像ＢＭ１が入力されると、所定のコード文字列情報に基づいて二次元バーコード変換処理を施すことによって、認証用紋様コードＢＣの基礎とされたオリジナル印画紙ＯＰの指定領域ＡＲにおける紋様特徴量を現す認証用紋様パターンＢＭを生成し、外部インターフェース３５を介して当該認証用紋様パターンＢＭをＰＣ２へ送出する。
【００５０】
このようにして、原本性保証装置１は、マウス３及びマウスパッド４によって取得した受光画像データＤ１から領域紋様画像ＩＭ１及び紋様コード画像ＢＭ１を抽出し、比較用紋様パターンＩＭ及び認証用紋様パターンＢＭを生成し得るようになされている。
【００５１】
（３−６）照合処理
そして原本性保証装置１は、生成した比較用紋様パターンＩＭと認証用紋様パターンＢＭとを照合する。
【００５２】
実際上、ＰＣ２の制御部２０（図６）は、マウスインターフェース２１を介してマウス３から認証用紋様パターンＢＭ及び比較用紋様パターンＩＭが供給されると、認証用紋様パターンＢＭにおける白ダマ、黒ダマ（以下、これを認証用ダマと呼ぶ）の紋様特徴量と、比較用紋様パターンＩＭにおける白ダマ、黒ダマ（以下、これを比較用ダマと呼ぶ）の紋様特徴量とを順次照合する。なお、ここでは説明の便宜上、１つの認証用ダマ及び比較用ダマについてのみ説明する。
【００５３】
具体的には制御部２０は、図１２に示すように、認証用ダマ及び比較用ダマ双方の矩形情報値に基づいて、双方の中心ｇｒ、ｇが双方の矩形Ｒｒ、Ｒ内に存在するか否かを判断する。そして制御部２０は、中心ｇｒ、ｇが矩形Ｒｒ、Ｒ内に存在すると判断した場合には、中心ｇｒ、ｇ間における距離を現す中心間距離ｄと、矩形Ｒｒ及び矩形Ｒ間における傾きの差を現す矩形間傾き差θ´と、認証用ダマ面積Ｓｒと比較用ダマの面積Ｓとの差であるダマ面積差とがそれぞれ所定の閾値以下であるか否かを順次判断する。
【００５４】
ここで制御部２０は、上述した値がいずれも閾値以下であった場合には、認証用ダマと比較用ダマとは同一のダマであると判断し、これに対していずれか１つでも閾値以上であった場合には、認証用ダマと比較用ダマとは同一のダマではないと判断するようになされている。
【００５５】
このように制御部２０は、コード付印画紙ＸＰｃ（図２）から抽出された比較用紋様パターンＩＭ（紋様特徴量（矩形情報値）によって現される各比較用ダマ）と、認証用紋様コードＢＣ（図２）に記憶されたオリジナル印画紙ＯＰの認証用紋様パターン（紋様特徴量（矩形情報値）によって現される各認証用ダマ）とを順次照合することによって、当該コード付印画紙ＸＰｃがオリジナル印画紙ＯＰであるか否かを判断し、当該判断結果をＰＣ２の表示部２３（図（６））を介してユーザに知らせ得るようになされている。
【００５６】
このようにして、原本性保証装置１は、マウス３及びマウスパッド４によって取得した受光画像データＤ１から生成された認証用紋様パターンＢＭと比較用紋様パターンＩＭとを照合することによってコード付印画紙ＸＰｃの原本性を保証し得るようになされている。
【００５７】
（４）動作及び効果
以上の構成において、本発明の原本性保証装置１においては、マウスパッド４の発光部４２から発光され、マウスパッド４及びマウス３との間に敷設されたコード付印画紙ＸＰｃを透過した紋様投影光をマウス３によって受光し、光電変換することによって受光画像データＤ１を取得する。
【００５８】
これにより、通常使用のためにデスク上に常時設置されているマウス３とマウスパッド４によって紙紋様を取得することができるため、ユーザは例えばデスクに座った状態でマウス３とマウスパッド４とによって受光画像データＤ１を取得することができ、紙紋様の取得を簡便に行うことができる。
【００５９】
また、携帯可能なマウス３とマウスパッド４とによって紙紋様を取得することができることにより、ユーザは例えばノートパソコンとともにマウス３とマウスパッド４とを携帯することができ、様々な状況や場所で紙紋様の取得することができるため、紙紋様の取得を簡便に行うことができる。
【００６０】
また原本性保証装置１では、既存のマウス３及びマウスパッド４に発光部３３と受光４２からなるスキャナ機能を設けたことにより、別途紙紋様取得のための特別な装置を設置する必要がなく、構成を簡易にすることができるため、小型化が可能となる。
【００６１】
さらに原本性保証装置１では、ＰＣ２として原本性保証処理の実行プログラムをインストールすることによって汎用のパーソナルコンピュータ等を使用することができるため、マウス３とマウスパッド４を取り付けることによって、ＰＣ２として既存設備を使用でき、簡易な構成で紙紋様の取得を行うことが可能となる。
【００６２】
またマウス３は、受光部３３によって紋様投影光を受光すると同時にバーコード投影光を受光する。マウス３は、画像情報抽出手段である画像抽出部３０Ａによって、この結果得られた受光画像データＤ１から指定領域ＡＲにおける紙の紋様に基づく紙紋様画像情報として領域画像ＩＭ１を抽出すると同時に、予めコード付印画紙ＸＰｃに記憶された認証用紋様コードＢＣに基づく記憶紋様画像情報として紋様コード画像ＢＭ１を抽出する。
【００６３】
これによりマウス３は、一度の発光処理と受光処理による撮像処理で領域画像ＩＭ１及び紋様コード画像ＢＭ１を抽出でき、それぞれの画像データの取得のために撮像処理を二度行う必要がないため、一段と簡便に紙紋様の取得を行うことができる。
【００６４】
またマウス３は、双方向のＵＳＢ方式によってＰＣ２と接続されているため、ユーザの操作に応じた動作指示や位置情報をＰＣ２に送出する通常の動作に加え、ＰＣ２から供給される受光命令ＣＲに基づいて受光処理を行うことができ、別途受光処理のための接続経路を設ける必要がなく、構成を簡易にすることができる。
【００６５】
さらにマウス３とマウスパッド４は、ＰＣ２の制御部によって供給される発光命令ＣＬ及び受光命令ＣＲに基づいて発光処理と受光処理を行うため、発光処理と受光処理のタイミングを制御部２０によって合わせることができる。これにより、マウス３はセンサによって発光を感知して受光処理を行う必要がないため、構成を簡易にすることができる。
【００６６】
以上の構成によれば、本発明のマウス３及びマウスパッド４は、透過光を利用した紙紋様の取得が可能となるため、紙紋様の取得を簡便に行うことができる。
【００６７】
（５）その他の実施の形態
なお上述の実施の形態においては、マウス３によって受光画像データＤ１から認証用紋様パターンＢＭ及び比較用紋様パターンＩＭを生成し、当該認証用紋様パターンＢＭ及び比較用紋様パターンＩＭを紋様情報としてＰＣ２に出力するようにした場合について述べたが、本発明はこれに限らず、ＰＣ２に紋様情報として受光画像データＤ１を送出し、ＰＣ２によって認証用紋様パターンＢＭ及び比較用紋様パターンＩＭを生成するようにしてもよい。
【００６８】
また上述の実施の形態においては、１度の撮像処理において比較用紋様パターンＩＭ及び認証用紋様パターンＢＭを生成するようにした場合について述べたが、本発明はこれに限らず、２度に渡って撮像処理を行い、それぞれ得られた画像データから比較用紋様パターンＩＭ及び認証用紋様パターンＢＭを生成するようにしてもよい。これにより、一度に撮像できる面積を減少させることができるため、受光部３３及び発光部４２の構成を簡素化することができる。
【００６９】
さらに上述の実施の形態においては、マウス３のトラックボール式のトラックボール部３４Ａによって位置検出情報を生成するようにした場合について述べたが、本発明はこれに限らず、マウス３として発光した位置検出光を受光することによって位置情報を生成する光学式マウスを使用するようにしてもよい。これにより、マウス３の受光手段として位置を検出するための位置検出光受光手段を使用することができ、一段と簡易な構成で紙紋様を取得できる。
【００７０】
さらに上述の実施の形態においては、マウス３とマウスパッド４はそれぞれＰＣ２に接続されており、ＰＣ２の制御部２０によって発光コマンドＣＬ及び受光コマンドＣＲを生成し、マウス３の受光部３３とマウスパッド４の発光部４２に送出することで発光処理と受光処理が実行されるようにした場合について述べたが、本発明はこれに限らず、マウス３又はマウスパッド４によって発光コマンドＣＬ及び受光コマンドＣＲを生成して、発光部４２と受光部３３とにそれぞれ送出してもよく、また、受光部３３にセンサーを設け、センサーによって発光を認識して受光するようにしてもよい。
【００７１】
例えばマウス３と制御部を有するマウスパッド４とが接続され、ユーザがマウスパッド４に設けられた発光処理ボタンを操作することによってマウスパッド４の制御部が発光コマンドＣＬ及び受光コマンドＣＲを生成し、それぞれ発光部４２とマウス３の受光部３３に送出することで発光処理と受光処理とが実行されるようにすることができる。これにより、マウスパッド４はＰＣ２に接続する必要がなく、ＰＣ２に接続するための接続手段が不要となるため、構成を簡易にすることができる。
【００７２】
さらに上述の実施の形態においては、マウスパッド４によって出力光を発光し、マウス３によって紙透過反射光を受光するようにした場合について述べたが、本発明はこれに限らず、マウス３によって出力光を発光し、マウスパッド４によって紙透過反射光を受光するようにしてもよい。このとき、マウス３として光学式マウスを使用し、マウス３の発光手段として位置を検出するための位置検出発光手段を使用することによって、一段と簡易な構成で紙紋様を取得できる。
【００７３】
さらに、マウスパッド４にミラー加工や特殊コーティング加工を施すことによって、マウス３によって発光した出力光を当該マウスパッド４によって反射させることでコード付印画紙ＸＰｃを透過させ、当該紙透過反射光をマウス３によって受光するようにしてもよい。これによりマウスパッド４に発光部を設ける必要がないため、一段と簡易な構成で紙紋様を取得できる。このとき、マウス３として光学式マウスを使用し、紙紋様の取得のための受光手段及び発光手段として位置を検出するための位置検出発光手段及び位置検出受光手段を使用することによって、一段と簡易な構成で紙紋様を取得できる。
【００７４】
さらに上述の実施の形態においては、マウス３とマウスパッド４との間にコード付印画紙ＸＰｃを敷設するようにした場合について述べたが、本発明はこれに限らず、例えば図１２に示すように、マウス７０の後部にスリット７１を設け、コード付印画紙ＸＰｃを当該スリット７１に挿入するようにしてもよい。また図１３に示すように、マウス８０の後部を切り開いた形状とし、ヒンジ部８３によって開閉可能な把持部８２を設け、載置部８１に載置したコード付印画紙ＸＰｃを当該把持部８２によって把持するようにしてもよい。この場合、マウス７０及びマウス８０は挿入又は把持された当該コード付印画紙ＸＰｃの上下に有する図示しない発光部によって出力光を発光し、図示しない受光部によって紙透過反射光を受光することによって受光画像データＤ１を取得する。
【００７５】
これにより、マウスパッド４が不要となり、原本性保証装置の構成をさらに簡素化することが可能となる。また、光学式マウスが有する既存の発光部及び受光部をそのまま使用することができるため、マウス７０及びマウス８０の構成を簡易にすることができ、小型化することが可能となる。
【００７６】
同様に、マウスパッド４に発光部４２に加えて図示しない受光部を設け、マウスパッド４によって受光画像データＤ１を取得するようにしても上述した効果を得ることができる。この場合マウスパッド４は、マウス７０及びマウス８０と同様にスリットを設けたり、開閉可能な把持部を設けることによってコード付印画紙ＸＰｃを発光部４２と受光部との間に敷設する。
【００７７】
また図１５に示すように、発光部８５Ａを有する引出部８５Ｂとマウス操作部８５Ｃとで構成されるマウスパッド４を使用するようにしても良く、この場合、引出部８５Ｂを引き出した状態で引出部８５Ｂとマウス３との間にコード付印画紙ＸＰｃを敷設し、発光部８５Ａによって発光し、紙透過反射光をマウス３によって受光するようにしてもよく、引出部８５Ｂとマウス操作部８５の下面に設けられた図示しない受光部との間にコード付印画紙ＸＰｃを敷設し、発光部８５Ａによって発光し、当該受光部によって受光するようにしてもよい。
【００７８】
これにより、マウス操作部８５Ｃ上に発光部又は受光部を設ける必要がないため、マウス操作部８５Ｃの上面をマウス操作に最適な状態にすることができるとともに、通常使用時には発光部８５Ａ及び受光部ともに表面に出ないようにできるため、衝撃などによる発光部８５Ａ及び受光部の傷形成や故障を防止することができる。
【００７９】
また図１６に示すように、マウスパッド８８に回転部８９Ｃと当該回転部８９Ｃによって連結される複数の軸部８９Ａ、８９Ｂからなり、軸部の長さの範囲内で移動可能なアームの先端に発光部８８Ａを設け、マウスパッド８８の本体部分の受光部８８Ｃによって受光するようにしてもよい。これにより、指定領域ＡＲの位置に合わせて発光部８８Ａを移動させることが可能となり、位置合わせが容易となるため、一段と簡便に紙紋様の取得を行うことが可能となる。
【００８０】
さらに上述の実施の形態においては、ＰＣ２の制御部２０が、予め記憶された原本性保証処理の実行プログラムに従って、原本性保証処理を実行するようにした場合について述べたが、本発明はこれに限らず、例えば原本性保証処理の実行プログラムをＣＤ-ＲＯＭ等の記憶媒体からインストールしたり、インターネット等のネットワークを通じてダウンロードすることによって上述の原本性保証処理を実行するようにしても良い。
【００８１】
さらに上述の実施の形態においては、ＰＣ２とマウス３及びマウスパッド４との間はＵＳＢ方式によって接続されるようにした場合について述べたが、本発明はこれに限らず、例えばＬＡＮ方式等の他の方式によって接続されるようにしてもよく、また有線、無線いずれの方法によって接続されるようにしてもよい。
【００８２】
さらに上述の実施の形態においては、マウス３とマウスパッド４とによって紙紋様を取得するようにした場合について述べたが、本発明はこれに限らず、例えば図１７に示すように、図示しない発光部又は受光部の一方を有する第１の筐体９１と、図示しない発光部又は受光部の他方を有する第２の筐体９２とをヒンジ部９３によって連結した、開閉可能な形状を有する折畳式の携帯型紙紋様取得装置９０によって紙紋様を取得するようにしてもよい。この場合、第１の筐体９１と第２の筐体９２とによってコード付印画紙ＸＰｃを把持した状態で受光画像データＤ１を取得し、紋様パターンの生成処理を行うようにする。また、携帯型紙紋様取得装置９０は当該紋様パターンの照合処理を行うようにし得る。
【００８３】
これにより、照合処理をするためのＰＣ２が不要となり、携帯型紙紋様取得装置９０のみで原本性保証手法を実行できるため、ユーザは場所を問わず一段と簡便に原本性保証手法を実行することができる。この場合、例えば折畳式の携帯電話に原本性保証処理機能を付加することによって、携帯電話に付属しているフラッシュ等の光源とカメラをそのまま使用でき、簡易な構成で原本性保証手法を行うことが可能となる。また、携帯型紙紋様取得装置９０は発光部又は受光部を有する面に操作部９４や図示しない表示部等を有していてもよく、１つの面に発光部又は受光部とともにこれらの機能を付加することで、一段と小型化することができる。
【００８４】
また、この携帯型紙紋様取得装置を例えばレジスターのバーコード読取ヘッド等の各種電子機器に適用することによって、商品交換媒体や内容証明媒体など高付加価値を有する印画紙の原本性の保証を様々な状況で行うことができるため、一段と簡便に原本性保証をすることができる。
【００８５】
さらに図１８に示すように、図示しない発光部又は受光部の一方を有する第１の筐体１０１と、図示しない発光部又は受光部の他方を有する第２の筐体１０２からなる携帯型紙紋様取得装置１００によってコード付印画紙ＸＰｃを把持しするようにしてもよい。第１の筐体と第２の筐体はスライド方式やアーム方式等によって連結されていてもよく、分離可能な状態で原本性保証手法実行の際に嵌合するようにしてもよい。この場合にも、上述した折畳式の携帯型紙紋様取得装置９０と同様の効果を得ることができる。また同様に、操作部１０４を受光部又は発光部と同一面に有するようにしてもよい。
【００８６】
さらに上述の実施の形態においては、マウス３とマウスパッド４とによって予めコード付印画紙ＸＰｃに記憶させた認証用コードＢＣから認証用紋様パターンＢＭを生成し、ＰＣ２によって比較用紋様パターンＩＭと照合するようにした場合について述べたが、本発明はこれに限らず、予めＰＣ２等の印画紙以外の記憶媒体に記憶した認証用紋様パターンＢＭと比較用紋様パターンＩＭとを照合するようにしてもよい。
【００８７】
これにより、予め認証用紋様コードＢＣが記憶されていない印画紙においても、簡便に原本性の保証をすることが可能となる。また、紙透過反射光から比較用紋様パターンＩＭを生成するのみでよく、認証用紋様パターンＢＭを生成する必要がなく、紋様パターンの生成処理を簡素化することができるため、マウス３とマウスパッド４の構成を一段と簡素にすることができる。
【００８８】
さらに上述の実施の形態においては、マウス３とマウスパッド４によって印画紙が有する紙紋様である紋様画像を取得するようにした場合について述べたが、本発明はこれに限らず、例えば点字等の印画紙情報を取得するようにしてもよい。これにより、従来の反射光を利用するスキャナ等では取得が困難な印画紙情報を取得することが可能となる。
【００８９】
さらに上述の実施の形態においては、発光手段としての発光部４２と、受光手段及び光電変換手段としての受光部３３と、出力手段としての外部インターフェース３５とによってマウスとマウスパッドを構成する場合について述べたが、本発明はこれに限らず、その他種々の回路構成でなる発光手段と、受光手段と、光電変換手段と、出力手段とによってマウスとマウスパッドを構成するようにしても良い。
【産業上の利用可能性】
【００９０】
本発明のマウス及びマウスパッドは、例えば紙紋様を取得できるマウス及びマウスパッドに適用することができる。
【図面の簡単な説明】
【００９１】
【図１】紙の紋様の説明に供する略線図である。
【図２】認証用紋様パターンの記憶の説明に供する略線図である。
【図３】コード付印画紙の複製の説明に供する略線図である。
【図４】コード付印画紙の照合の説明に供する略線図である。
【図５】原本性保証装置の全体構成を示す略線図である。
【図６】原本性保証装置の回路構成を示す略線図である。
【図７】コード付印画紙とマウスのセッティングの説明に供する略線図である。
【図８】低域領域の抽出処理の説明に供する略線図である。
【図９】紋様画像の分離の説明に供するフローチャートである。
【図１０】冗長なデータの削減の説明に供する略線図である。
【図１１】紋様特徴量の算出の説明に供する略線図である。
【図１２】認証用紋様パターンと比較用紋様パターンとの照合の説明に供する略線図である。
【図１３】その他の実施の形態におけるマウス（１）の略線図である。
【図１４】その他の実施の形態におけるマウス（２）の略線図である。
【図１５】その他の実施の形態におけるマウスパッド（１）の略線図である。
【図１６】その他の実施の形態におけるマウスパッド（２）の略線図である。
【図１７】その他の実施の形態における携帯型紙紋様取得装置（１）の略線図である。
【図１８】その他の実施の形態における携帯型紙紋様取得装置（２）の略線図である。
【符号の説明】
【００９２】
１……原本性保証装置、２……ＰＣ、３……マウス、４……マウスパッド、２０……制御部、２１……マウスインターフェース、２２……マウスパッドインターフェース、２３……表示部、３０……信号処理部、３０Ａ……画像データ抽出部、３０Ｂ……紋様パターン生成部、３０Ｃ……二次元コードリーダ、３３……受光部、３４……操作部、３５……外部インターフェース、４１……外部インターフェース、４２……発光部。
【図２】
2006338549.tif 000003
【図３】
2006338549.tif 000004
【図４】
2006338549.tif 000005
【図５】
2006338549.tif 000006
【図６】
2006338549.tif 000007
【図７】
2006338549.tif 000008
【図９】
2006338549.tif 000009
【図１０】
2006338549.tif 000010
【図１１】
2006338549.tif 000011
【図１２】
2006338549.tif 000012
【図１３】
2006338549.tif 000013
【図１４】
2006338549.tif 000014
【図１５】
2006338549.tif 000015
【図１６】
2006338549.tif 000016
【図１７】
2006338549.tif 000017
【図１８】
2006338549.tif 000018
【図１】
2006338549.tif 000019
【図８】
2006338549.tif 000020